(57)【要約】【課題】ユーザが起動を指示する前に最低限必要な情報の取得および解析を終えておくことによって、起動時間の短縮を図ることが可能なデジタル放送受信方法を提供する。【解決手段】本発明のデジタル放送受信方法は、スタンバイ状態において番組情報を取得するステップと、取得した番組情報を記憶するステップと、起動時において、記憶した番組情報の有無を判定するステップと、記憶した番組情報が存在すると判定された場合に、記憶した番組情報から復号鍵情報を取得して復号鍵を生成するステップと、生成した復号鍵を利用して映像データ及び音声データを出力するステップと、を有する。【選択図】図３
2008306347.tif 000002
【特許請求の範囲】
【請求項１】
スタンバイ状態において番組情報を取得するステップと、
取得した前記番組情報を記憶するステップと、
起動時において、記憶した前記番組情報の有無を判定するステップと、
記憶した前記番組情報が存在すると判定された場合に、記憶した前記番組情報から復号鍵情報を取得して復号鍵を生成するステップと、
生成した前記復号鍵を利用して映像データ及び音声データを出力するステップと、
を有することを特徴とするデジタル放送受信方法。
【請求項２】
番組情報を取得するステップは、一定時間毎に起動して前記番組情報を取得することを特徴とする請求項１記載のデジタル放送受信方法。
【請求項３】
番組情報を取得するステップは、ＥＩＴ情報から前記番組情報の更新時刻を取得し、前記更新時刻後に起動して前記番組情報を取得することを特徴とする請求項１記載のデジタル放送受信方法。
【発明の詳細な説明】
【技術分野】
【０００１】
本発明は、デジタル放送受信装置において、ユーザの起動指示から映像や音声を再生するまでの起動時間を短縮可能なデジタル放送受信方法に関する。
【背景技術】
【０００２】
近年、デジタル放送受信機には放送受信だけではなく、インターネット接続や録画・再生などさまざまな機能が追加され始めている。このような高機能化の進展に伴って、デジタル放送受信機には高度なオペレーティングシステムやファイルシステムなどが搭載されるようになってきている。
【０００３】
そのためデジタル放送受信機制御用のソフトウェアは肥大化、複雑化の一途をたどり、ユーザが起動を指示してから映像や音声を再生するまでの起動時間はますます長くなっている。これに対し、デジタル放送では、時分割多重されて伝送されるさまざまな情報を取得、解析して、次に必要な情報が何であるかがわかる仕組みになっている。
【０００４】
以下、この仕組みの概要について、図１および図２を用いて説明する。図１は従来のデジタル放送受信装置の概要を示す図である。１０１は電波を受けて、電気信号に変換するアンテナ部である。１０３は復調および誤り訂正部であり、アナログの電気信号をデジタル信号に変換する復調と、デジタル信号中の伝送誤りを訂正する誤り訂正から構成される。例えば、国内の地上波デジタル放送では復調方式としてＯＦＤＭ、誤り訂正符号としてリードソロモンが採られていて、ＭＰＥＧ２トランスポートストリームを出力する。１０５は多重分離部であり、パケット単位で時分割多重されて伝送される映像符号化データ、音声符号化データ、その他の付加情報を分離し、映像データと音声データはＡＶデコード部１０７へ出力し、その他の付加情報は主記憶制御部１１５を通して主記憶１１７へ出力する。１０７はＡＶデコード部であり、情報圧縮されている映像符号化データや音声符号化データを復号して、再生装置１２０へ出力する。１２０は再生装置であり、映像や音声を出力する。１１１は不揮発性記憶部であり、ＣＰＵ１１３が実行する命令などを記憶している。１１３はＣＰＵであり、不揮発性記憶部１１１から命令を読み出して、デジタル放送受信装置の各部（１０１〜１１５）を制御する。１１５は主記憶制御部であり、主記憶１１７を制御して、多重分離部１０５やＡＶデコード部１０７やＣＰＵ１１３の情報を書き込み、または読み出す。１１７は主記憶である。
【０００５】
次に、図１のように構成されたデジタル放送受信装置がユーザの指示を受けて起動する従来の手順について、図２のフローチャートを用いて説明する。
【０００６】
まず、ステップ２０３でユーザの起動指示を待つ。起動指示があれば、次のステップ２０５に進む。ステップ２０５において、デジタル放送受信装置をブートアップする。ここでブートアップとは、ＣＰＵ１１３がオペレーティングシステムやファイルシステムなどを起動し、アンテナ部１０１や復調および誤り訂正部１０３を制御して動作を開始させることを指す。そして、処理は次のステップ２０７に進む。ステップ２０７において、ＣＰＵ１１３は多重分離部１０３にパケット識別子（以下、ＰＩＤ）を指定してＰＡＴ（Ｐｒｏｇｒａｍ  Ａｓｓｏｃｉａｔｉｏｎ  Ｔａｂｌｅの略称）を取得する設定を行う。ＩＳＯ／ＩＥＣ１３８１８  ＭＰＥＧ２−Ｓｙｓｔｅｍにおいて、ＰＩＤは１３ｂｉｔのフィールドであり、ＰＡＴを伝送するパケットのＰＩＤは０ｘ００００である。そして、処理は次のステップ２０９に進む。
【０００７】
ステップ２０９において、ＰＡＴを伝送するパケット受信を待つ。ＰＡＴを伝送するパケットを受信したら、処理は次のステップ２１１に進む。ステップ２１１において、受信したＰＡＴにはＰＭＴ（Ｐｒｏｇｒａｍ  Ｍａｐ  Ｔａｂｌｅの略称）のＰＩＤ情報が含まれているので、これを解析し、多重分離部１０３に当該ＰＩＤを有するパケットを取得する設定を行う。そして、処理は次のステップ２１３に進む。ステップ２１３において、ＰＭＴを伝送するパケット受信を待つ。ＰＭＴを伝送するパケットを受信したら、処理は次のステップ２１５に進む。
【０００８】
ステップ２１５において、受信したＰＭＴには、映像符号化データを伝送するパケットのＰＩＤや音声符号化データを伝送するパケットのＰＩＤや限定受信を目的とした復号鍵の情報を有するＥＣＭ（共通情報、Ｅｎｔｉｔｌｅｍｅｎｔ  Ｃｏｎｔｒｏｌ  Ｍｅｓｓａｇｅの略称）を伝送するパケットのＰＩＤの情報が含まれているので、これを解析し、多重分離部１０３に当該ＰＩＤを有するパケットを取得する設定を行う。そして、処理は次のステップ２１７に進む。ステップ２１７において、ＥＣＭを伝送するパケット受信を待つ。ＥＣＭを伝送するパケットを受信したら、処理は次のステップ２１９に進む。ステップ２１９において、受信したＥＣＭには限定受信を目的とした復号鍵の情報が含まれているので、これを解析し、ＥＭＭ（個別情報、Ｅｎｔｉｔｌｅｍｅｎｔ  Ｍａｎａｇｅｍｅｎｔ  Ｍｅｓｓａｇｅの略称）の情報などと合わせて、復号鍵を生成する。鍵の生成過程については、本願には関係ないため詳述しない。そして、処理は次のステップ２２１に進む。
【０００９】
ステップ２２１において、多重分離部１０３に映像符号化データを伝送するパケットのＰＩＤや音声符号化データを伝送するパケットを取得する設定を行い、受信した映像符号化データや音声符号化データを上述の復号鍵で復号する。復号された映像符号化データや音声符号化データはＡＶデコード部１０７でそれぞれ映像データ、音声データに変換、再生装置１２０から出力され、ユーザの視聴に供する。
【００１０】
このように一般的なデジタル放送受信機では、ＰＡＴを取得、解析しなければＰＭＴを取得することができず、ＰＭＴを取得、解析しなければＥＣＭを取得することができず、ＥＣＭを取得、鍵生成しなければＡＶ再生できない、というように必要な情報を順次取得していかなければならない。このために起動時間が長くなり、ユーザの利便性を損ねているので、起動時間の短縮が望まれている。
【００１１】
これに対して上記課題を解決するために、ユーザの都合が良い時刻に必要な情報を自動的に取得する方法などが提案されていた（例えば、特許文献１参照）。
【特許文献１】特開２００４−１１２６３２号公報
【発明の開示】
【発明が解決しようとする課題】
【００１２】
しかしながら、上記特許文献１で提案される方法では、起動時間を短縮するために必要な情報を常に取得、保持していては、デジタル放送受信装置の待機時消費電力が大きくなるという課題があった。
【課題を解決するための手段】
【００１３】
そこで、本発明は、ユーザが起動を指示する前に最低限必要な情報の取得および解析を終えておくことによって、起動時間の短縮を図ることが可能なデジタル放送受信方法を提供する。
【００１４】
具体的には、デジタル放送受信装置は、取得、解析した情報を不揮発性メモリに記憶した後に待機状態に遷移することによって待機時消費電力を下げ、不揮発性メモリに記憶させた情報は定期的または情報が更新された後に再度取得することによって最新の状態に保たせる。
【発明の効果】
【００１５】
ユーザが起動を指示する前に、起動に必要な情報の取得および解析を終えているので、起動時間を短縮することができる。
【発明を実施するための最良の形態】
【００１６】
（実施の形態１）
図３は、本発明における起動時間を短縮するデジタル放送受信装置の動作を示すフローチャートである。
【００１７】
まず、ステップ３０３でユーザの起動指示を待つ。起動指示があれば、次のステップ３０５に進む。ステップ３０５において、デジタル放送受信装置をブートアップする。そして、処理は次のステップ３０７に進む。ステップ３０７において、放送受信に必要なＳＩ（Ｓｅｒｖｉｃｅ  Ｉｎｆｏｒｍａｔｉｏｎ）情報を取得および解析できているかを調べ、ＳＩ取得済みであれば処理は次のステップ３３１へ進む。ＳＩ取得済みでなければ以降の処理は従来と同じであり、次のステップ３０９へ進む。ＳＩ取得およびＳＩ取得済みかどうかを判断する手段については後述する。
【００１８】
ステップ３０９において、ＣＰＵ１１３は多重分離部１０３にＰＡＴのＰＩＤ、すなわちＭＰＥＧ２−Ｓｙｓｔｅｍにおいては０ｘ００００を指定してＰＡＴを取得する設定を行う。そして、処理は次のステップ３１１に進む。ステップ３１１において、ＰＡＴを伝送するパケット受信を待つ。ＰＡＴを伝送するパケットを受信したら、処理は次のステップ３１３に進む。ステップ３１３において、受信したＰＡＴにはＰＭＴのＰＩＤ情報が含まれているので、これを解析し、多重分離部１０３に当該ＰＩＤを有するパケットを取得する設定を行う。そして、処理は次のステップ３１５に進む。ステップ３１３５おいて、ＰＭＴを伝送するパケット受信を待つ。ＰＭＴを伝送するパケットを受信したら、処理は次の３１７に進む。
【００１９】
ステップ３１７において、受信したＰＭＴには、映像符号化データを伝送するパケットのＰＩＤや音声符号化データを伝送するパケットのＰＩＤや限定受信を目的とした復号鍵の情報を有するＥＣＭを伝送するパケットのＰＩＤの情報などが含まれているので、これを解析し、多重分離部１０３に当該ＰＩＤを有するパケットを取得する設定を行う。そして、処理は次のステップ３１９に進む。ステップ３１９において、ＥＣＭを伝送するパケット受信を待つ。ＥＣＭを伝送するパケットを受信したら、処理は次の３２１に進む。ステップ３２１において、受信したＥＣＭには限定受信を目的とした復号鍵の情報が含まれているので、これを解析し、ＥＭＭの情報などと合わせて、復号鍵を生成する。鍵の生成過程については、本発明には関係しないため詳述しない。そして、処理は次のステップ３２３に進む。
【００２０】
ステップ３２３において、多重分離部１０３に映像符号化データを伝送するパケットや音声符号化データを伝送するパケットを取得する設定を行う。そして、処理は次のステップ３２５へ進む。ステップ３２５において、映像符号化データや音声符号化データを受信し、上述の復号鍵で復号する。復号された映像符号化データや音声符号化データはＡＶデコード部１０７でそれぞれ映像データ、音声データに変換され、再生装置１２０から出力され、ユーザの視聴に供する。
【００２１】
ステップ３３１において、取得済みのＳＩを読み出し、多重分離部１０３にＥＣＭを取得するための設定を行う。そして、処理は次のステップ３３３に進む。ステップ３３３において、ＥＣＭを伝送するパケット受信を待つ。ＥＣＭを伝送するパケットを受信したら、処理は次の３３５に進む。ステップ３３５において、受信したＥＣＭには限定受信を目的とした復号鍵の情報が含まれているので、これを解析し、ＥＭＭの情報などと合わせて、復号鍵を生成する。鍵の生成過程については、本発明には関係しないため詳述しない。そして、処理は次のステップ３３７に進む。ステップ３３７において、多重分離部１０３に映像符号化データを伝送するパケットや音声符号化データを伝送するパケットやＰＡＴ、ＰＭＴなどを含むその他のＳＩを伝送するパケットを取得する設定を行う。そして、処理は次のステップ３２５に進む。ステップ３２５以降の処理については上述のとおりであり、ここでは再び説明しない。
【００２２】
このように、本発明では、すでにＳＩを取得済みであれば必要なパケットを受信するための設定に要するステップやパケットの受信に要するステップを省くことができるので、起動時間を短縮することができる。
【００２３】
次に、ＳＩを取得する手段、つまりデジタル放送受信装置が自律的にＳＩを取得して情報を最新の状態に保つ手段、およびＳＩ取得済みかどうかを判断する手段について説明する。デジタル放送では、ＥＩＴ（Ｅｖｅｎｔ  Ｉｎｆｏｒｍａｔｉｏｎ  Ｔａｂｌｅの略）の情報を元に、情報の更新時期を予め知ることが可能である。よって、デジタル放送受信機では、動作中にＥＩＴを取得し、情報更新時刻を解析し、その変更時刻の直後に自らを起動するように制御すれば、常に最新の情報を取得することができる。このように制御されている状態を自律的と呼んでいる。
【００２４】
一般的に、デジタル放送受信機には、おおまかに分類して、電源ＯＦＦ（完全に停止している）状態、スタンバイ状態（必要最低限の部分だけ通電している状態）、動作状態の３状態がある。
【００２５】
電源ＯＦＦ状態では、デジタル放送受信機が自律的に起動することができないため、ＳＩを取得することはできない。電源ＯＦＦ状態になる前にＳＩを取得したことがあっても、取得済みのＳＩが最新の状態であるとは限らないため、ＳＩ取得済みではないと判断する。スタンバイ状態では、デジタル放送受信機が自律的に起動することができるので、定期的に起動してＳＩを取得、解析し、起動に必要な情報を不揮発性メモリに記憶した後、スタンバイ状態に戻る。なお、定期的に起動するとは、一定の時間間隔ごとに起動することであってもよいし、情報が更新されるたびに起動することであってもよい。
【００２６】
このようにしてＳＩ情報が取得されている状態はＳＩ取得済みであると判断する。動作状態では、常に必要な最新のＳＩ情報を取得しているので、ＳＩ取得済みであると判断できる。
【産業上の利用可能性】
【００２７】
本発明にかかるデジタル放送受信装置は、ユーザの起動指示から映像や音声を再生するまでの起動時間を短縮するためユーザの利便性を大きく向上することができ、緊急放送の受信など、緊急を要するデジタル放送受信装置にも有用である。
【図面の簡単な説明】
【００２８】
【図１】従来のデジタル放送受信装置の概要を示すブロック図
【図２】従来のデジタル放送受信装置の起動時の動作を示すフローチャート
【図３】本発明のデジタル放送受信装置の起動において、起動時間を短縮可能な動作を示すフローチャート
【符号の説明】
【００２９】
１０１    アンテナ部
１０３    復調および誤り訂正部
１０５    多重分離部
１０７    ＡＶデコード部
１１１    不揮発性記憶部
１１３    ＣＰＵ
１１５    主記憶制御部
１１７    主記憶
１２０    再生装置
【図１】
2008306347.tif 000003
【図２】
2008306347.tif 000004
【図３】
2008306347.tif 000005